(57)【特許請求の範囲】
【請求項１】
投入される荷物に対して透過放射線を照射して、当該荷物内部の画像を得る内部チェック装置と、
荷物が内部チェック装置によってチェックされたことを示すためのセキュリティシールを発行するセキュリティシール発行装置と、
荷物の重量を測定する重量測定装置と、
重量測定装置によって測定された重量に関する情報が記載または記録された重量券を発行する重量券発行装置と、
を備え、
重量測定装置の荷物載置台は、内部チェック装置の荷物投入側に隣接して配置されており、
セキュリティシール発行装置と重量券発行装置とは、一体の共通発行装置として構成され、
当該共通発行装置から発行される１枚の共通シール券が、セキュリティシールとして機能すると共に重量券としても機能するようになっており、
前記共通発行装置は、荷物が内部チェック装置によってチェックされている間に共通シール券に重量情報を印刷して発行可能である
ことを特徴とする預かり荷物の重量測定システム。
【請求項２】
前記共通シール券は、
セキュリティシールとして機能するために所定の切込みが設けられたシール本体部と、
重量券として機能するために重量情報が印刷される重量券部と、
を有しており、
シール本体部と重量券部との間には、切込みパターンが設けられている
ことを特徴とする請求項１に記載の預かり荷物の重量測定システム。
【請求項３】
重量券は、重量シールである
ことを特徴とする請求項１または２に記載の預かり荷物の重量測定システム。
【請求項４】
重量シールの裏面は、その貼着力がセキュリティシールの裏面の貼着力よりも弱く構成されている
ことを特徴とする請求項３に記載の預かり荷物の重量測定システム。
【請求項５】
シール本体部は、預かり荷物の開閉部分を跨ぐように貼付されることが意図され、一旦貼付された後に剥がされる際には少なくとも一部が切断されて原型を失うように構成されており、
長手方向に延びる短冊状の形状を有し、
一方の側方端縁から切込まれ、前記長手方向に略垂直な方向に延びる複数の第１直線縦切込みと、
他方の側方端縁から切込まれ、前記長手方向に略垂直な方向に延びる複数の第２直線縦切込みと、
第１直線縦切込みの内方側端部の近傍から第２直線縦切込みの内方側端部の近傍まで、前記長手方向に対して鋭角をなす方向に延びる第１直線斜め切込みと、を有し、
前記第２直線縦切込みの各々と前記第１直線縦切込みの各々とは、一直線上に整列するように配置されて縦列を形成するように配置されており、
前記第１直線斜め切込みは、各第１直線縦切込みの内方側端部の近傍から、当該第１直線縦切込みが形成する縦列の一側に隣接する縦列に属する第２直線縦切込みの内方側端部の近傍まで、前記長手方向に対して鋭角をなす方向に延びており、
各第１直線縦切込みの内方側端部の近傍から当該第１直線縦切込みが形成する縦列の他側に隣接する縦列に属する第２直線縦切込みの内方側端部の近傍に向かう方向において、各第１直線縦切込みの内方側端部の近傍から、前記第１直線斜め切込みと交差する直前の位置まで、前記長手方向に対して鋭角をなす方向に延びる第２直線斜め切込みと、
各第１直線縦切込みの内方側端部の近傍から当該第１直線縦切込みが形成する縦列の他側に隣接する縦列に属する第２直線縦切込みの内方側端部の近傍に向かう方向において、前記第１直線斜め切込みと交差する直後の位置から、当該第１直線縦切込みが形成する縦列の他側に隣接する縦列に属する第２直線縦切込みの内方側端部の近傍まで、前記長手方向に対して鋭角をなす方向に延びる第３直線斜め切込みと、
を更に有している
ことを特徴とする請求項１乃至４のいずれかに記載の預かり荷物の重量測定システム。
【請求項６】
共通発行装置は、
複数の共通シール券と、当該複数の共通シール券の全ての裏面に共通にあてがわれた剥離紙と、を有する共通シール券シートが収納される収納部と、
前記収納部に収納された共通シール券シートの剥離紙から、共通シール券を１枚ずつ当該共通シール券の原型を失わないように剥がしつつ送り出す送り出し機構と、
を有している
ことを特徴とする請求項１乃至５のいずれかに記載の預かり荷物の重量測定システム。
【請求項７】
重量測定装置は、
同一の荷物の重量計測を所定のサンプリング間隔で実施して複数の測定データを取得するデータ取得部と、
データ取得部によって得られた複数の測定データに基づいて、測定データが安定に収束しているか否かを判定する収束判定部と、
収束判定部によって安定に収束していると判定された場合に、最終的な重量情報を出力する重量情報出力部と、
を有している
ことを特徴とする請求項１乃至６のいずれかに記載の預かり荷物の重量測定システム。
【請求項８】
収束判定部は、複数の測定データの所定の設定時間内のばらつきが所定の設定範囲以内である場合に、安定に収束していると判定するようになっている
ことを特徴とする請求項７に記載の預かり荷物の重量測定システム。
【請求項９】
前記所定の設定時間及び／または前記の所定の設定範囲は、可変である
ことを特徴とする請求項８に記載の預かり荷物の重量測定システム。
【請求項１０】
重量測定装置は、
重量測定の終了の判別信号を手動で入力する終了入力部と、
終了入力部によって重量測定の終了の判別信号が入力された場合に、最終的な重量情報を出力する重量情報出力部と、
を有している
ことを特徴とする請求項１乃至９のいずれかに記載の預かり荷物の重量測定システム。
【請求項１１】
終了入力部は、押しボタンまたはフットスイッチである
ことを特徴とする請求項１０に記載の預かり荷物の重量測定システム。
【請求項１２】
重量測定装置は、
荷物の重量測定の終了を自動的に判別する自動モードと、荷物の重量測定の終了をオペレータが判別する手動モードと、のいずれかを設定する設定部と、
自動モードが設定される場合のために、
同一の荷物の重量計測を所定のサンプリング間隔で実施して複数の測定データを取得するデータ取得部と、
データ取得部によって得られた複数の測定データに基づいて、測定データが安定に収束しているか否かを判定する収束判定部と、
収束判定部によって安定に収束していると判定された場合に、最終的な重量情報を出力する重量情報出力部と、
を有しており、
手動モードが設定される場合のために、
重量測定の終了の判別信号を手動で入力する終了入力部と、
終了入力部によって重量測定の終了の判別信号が入力された場合に、最終的な重量情報を出力する重量情報出力部と、
を有している
ことを特徴とする請求項１乃至６のいずれかに記載の預かり荷物の重量測定システム。
【請求項１３】
重量測定装置は、荷物の重量測定の終了後に再び重量計測を所定のサンプリング間隔で実施して、測定データが所定のリセット値を下回った場合に、荷物の排除が終了したことを判別する荷物リセット部
を有している
ことを特徴とする請求項１乃至１２のいずれかに記載の預かり荷物の重量測定システム。
【請求項１４】
前記リセット値は、可変である
ことを特徴とする請求項１３に記載の預かり荷物の重量測定システム。
【発明の詳細な説明】
【０００１】
【発明の属する技術分野】
本発明は、例えば航空便利用者からの各預かり荷物の重量を測定するための、預かり荷物の重量測定システムに関する。
【０００２】
【従来の技術】
従来の預かり荷物の重量測定システムは、チェックインカウンタに設置された重量計測機によって構成されていた。
【０００３】
荷物預かりサービスの利用者例えば航空便利用者は、預ける荷物の各々について、予め内部セキュリティチェックを受ける。内部セキュリティチェックは、荷物に対してＸ線を放射して内部の画像を得て、当該画像を目視で検査することによって行われている。当該検査において「危険性無し」と判別された荷物には、荷物の開閉部分を跨ぐようにセキュリティシールが貼付される。
【０００４】
このセキュリティシールは、一旦貼付された後に剥がされる際に、少なくとも一部が切断されてその原型を失うように構成されている。これにより、セキュリティシールが原型を留めているか否かによって、内部セキュリティチェックを受けた後に荷物を開閉した、つまり、荷物の中身を入れ替えた可能性があるか否かを知ることができる。
【０００５】
その後、航空便利用者は、セキュリティシールが貼付された荷物をチェックインカウンタに持参して、チェックイン手続きを行う。
【０００６】
図８に示すように、チェックインカウンタ５０には、荷物の受け渡しを容易にするための低台座部５１が設けられており、通常は、当該低台座部５１に重量計測装置５２が組み込まれている。航空便利用者は、預ける荷物を低台座部５１上に載置する。
【０００７】
チェックインカウンタ５０のオペレータは、航空便利用者から航空券を受け取り、端末機５３に対してチェックイン処理を行う。同時に、低台座部５１上に載置された荷物に対して、重量計測装置５２を作動させ、当該荷物の重量を計測する。
【０００８】
荷物には荷物番号が与えられ、当該荷物に貼付される荷物番号ラベルが端末機５３から発行される。
【０００９】
また、端末機５３に対するオペレータの入力処理により、荷物の預け人と荷物番号と荷物重量とが対応付けられ、当該情報がホストコンピュータ６０に送信される。
【００１０】
オペレータは、端末機５３に対する入力処理と平行して、発行された荷物番号ラベルを荷物に貼付する。
【００１１】
荷物番号ラベルを貼付された荷物は、低台座部５１に隣接された搬送ベルト５５上に移動され、当該搬送ベルト５５によって搬送されていく。
【００１２】
ホストコンピュータ６０は、端末機５３から入力された各荷物の重量に基づいて種々の重量管理処理を実施する。
【００１３】
なお、荷物の重量が所定値を超えている場合には、追加料金の請求手続き及び支払い手続きが、別途行われる。
【００１４】
【発明が解決しようとする課題】
従来は、旅行会社が主催する団体旅行等に参加する複数の航空便利用者の荷物に対しては、それらをまとめて重量管理する手法が採用されていた。
【００１５】
例えば、ある団体旅行に１０人が参加している場合には、当該１０人の航空便利用者の荷物を大きな一つの荷物として重量管理していた。
【００１６】
団体旅行等に参加している複数の航空便利用者の荷物をまとめて扱って分散させないことは、預かり荷物の返却のタイミングを当該団体旅行の参加者同士で略同じにすることができるという利点がある。
【００１７】
また、端末機５３への重量の入力も、複数の荷物の合計値に対してのみなされればよく、オペレータの処理量が軽減されていた。
【００１８】
しかしながら、上記のような取り扱いには、以下のような問題があった。
【００１９】
従来の取扱いは、重量測定等に時間がかかるため、航空便利用者の目の前で個別に重量測定を実施し荷物を預かることができなかった。このため、「預かり荷物に危険品がないか、ご自身で梱包したか、梱包後預かり荷物が利用者の監視下にあったか」等、航空会社係員が預かり荷物について直接利用者に確認することができなかった。更には、団体旅行の一括荷物処理においては、一般に重量に余裕があることを見越して、別の個人旅客が、団体旅行の参加者に薄謝（荷物重量の追加料金よりは安い）と共に荷物を預けるという事態が事例は少ないが横行していた。
【００２０】
以上のような問題を踏まえて、本件出願人は、団体旅行等に参加している複数の航空便利用者の荷物についても、一人ずつ厳密に処理すべきであるという方針を考慮するに至った。
【００２１】
しかしながら、団体客についても個人客と同様の荷物管理をする場合、前述の従来の預かり荷物の重量測定システムでは、チェックインカウンタにて重量計測及び重量入力を行うシステムであるので、チェックインカウンタに利用者の長い待ち行列が形成されてしまう可能性が高い。このことは、航空便利用者の利便性を大きく損ねることを意味する。
【００２２】
本発明は、このような点を考慮してなされたものであり、例えば航空便利用者からの各預かり荷物の重量を測定するシステムであって、航空便利用者に従前以上の不快感を与えることなく、預かり荷物の重量を各航空便利用者単位、更には、各荷物単位で管理することを容易にするシステムを提供することを目的とする。
【００２３】
【課題を解決するための手段】
本発明は、投入される荷物に対して透過放射線を照射して、当該荷物内部の画像を得る内部チェック装置と、荷物が内部チェック装置によってチェックされたことを示すためのセキュリティシールを発行するセキュリティシール発行装置と、荷物の重量を測定する重量測定装置と、重量測定装置によって測定された重量に関する情報が記載または記録された重量券を発行する重量券発行装置と、を備え、重量測定装置の荷物載置台は、内部チェック装置の荷物投入側に隣接して配置されており、セキュリティシール発行装置と重量券発行装置とは、一体の共通発行装置として構成され、当該共通発行装置から発行される１枚の共通シール券が、セキュリティシールとして機能すると共に重量券としても機能するようになっており、前記共通発行装置は、荷物が内部チェック装置によってチェックされている間に共通シール券に重量情報を印刷して発行可能であることを特徴とする預かり荷物の重量測定システムである。
【００２４】
本発明によれば、荷物の重量測定作業とカウンタにおける重量入力作業とを完全に分離することができるため、預かり荷物の重量を各利用者単位、更には、各荷物単位で管理することにしても、カウンタに利用者の長い待ち行列が形成されることが回避される。また、カウンタでは、例えばオペレータが重量券に記載または記録された重量に関する情報を重量入力端末に入力することによって、重量入力が容易に実施され得る。
【００２５】
また、本発明によれば、荷物を預かる際に確認が必要なセキュリティシールに重量券の機能が付加された共通シール券を用いるため、セキュリティシールと別途に重量券を用意する必要が無く、各種コストを従前のシステムと同様のレベルに留めることができる。更に、重量券と荷物との対応を、より確実に維持することができる。
【００２６】
また、本発明によれば、重量測定装置の荷物載置台が内部チェック装置の荷物投入側に隣接して配置されており、重量情報の印刷は荷物が内部チェック装置によってチェックされている間になされ得るため、荷物の重量計測処理から内部チェック処理を経て共通シール券を貼付する処理に至るまでの一連の処理を、極めて迅速に実施することが可能である。
【００２７】
ここで、セキュリティシールは荷物を預けた後返却されるまで当該荷物に貼付された状態を維持することが好ましいが、重量券についてはそのような要請は無い。また、荷物が返却された直後において、荷物預かりサービスの利用者は、セキュリティシールの貼付状態の維持については通常無関心であるが、重量券については早急な排除を希望するであろうと推測される。
【００２８】
従って、共通シール券は、セキュリティシールとして機能するために所定の切込みが設けられたシール本体部と、重量券として機能する重量券部と、を有しており、シール本体部と重量券部との間には、切込みパターンが設けられていることが好ましい。
【００２９】
この場合、重量券部は、重量入力の後の任意の時に、切込みパターンを切断することによって容易にシール本体部から切り離され得る。
【００３０】
好ましくは、重量券は、重量シールである。つまり、好ましくは、重量券もシールとして構成される。この場合、荷物に対する重量券の添付が、より確実になされ得る。
【００３１】
この場合、重量券の排除の容易性を担保するために、重量シールの裏面は、その貼着力がセキュリティシールの裏面の貼着力よりも弱く構成されていることが好ましい。これにより、重量券のみを容易に排除することが可能である。
【００３２】
重量券には、例えば、重量情報が数字によって記載され得る。あるいは、重量券には、重量情報が暗号情報によって記載され得る。前記暗号情報は、例えばバーコード情報である。
【００３３】
本発明において好適なシール本体部は、預かり荷物の開閉部分を跨ぐように貼付されることが意図され、一旦貼付された後に剥がされる際には少なくとも一部が切断されて原型を失うように構成されており、長手方向に延びる短冊状の形状を有し、一方の側方端縁から切込まれ、前記長手方向に略垂直な方向に延びる複数の第１直線縦切込みと、他方の側方端縁から切込まれ、前記長手方向に略垂直な方向に延びる複数の第２直線縦切込みと、第１直線縦切込みの内方側端部の近傍から第２直線縦切込みの内方側端部の近傍まで、前記長手方向に対して鋭角をなす方向に延びる第１直線斜め切込みと、を備えたことを特徴とするセキュリティシールである。
【００３４】
このようなシール本体部は、剥離紙から剥がす作業が容易となる。また、一旦貼付された後に剥がされる際には、少なくとも一部が切断されて原型を失う。
【００３５】
好ましくは、前記第２直線縦切込みの各々と前記第１直線縦切込みの各々とは、一直線上に整列するように配置されて縦列を形成するように配置されている。この場合、一旦貼付された後に剥がされる際に、より原型を失い易い。
【００３６】
好ましくは、前記第１直線斜め切込みは、各第１直線縦切込みの内方側端部の近傍から、当該第１直線縦切込みが形成する縦列の一側に隣接する縦列に属する第２直線縦切込みの内方側端部の近傍まで、前記長手方向に対して鋭角をなす方向に延びており、
各第１直線縦切込みの内方側端部の近傍から、当該第１直線縦切込みが形成する縦列の他側に隣接する縦列に属する第２直線縦切込みの内方側端部の近傍まで、前記長手方向に対して鋭角をなす方向に延びる第２直線斜め切込みを更に備えている。
【００３７】
この場合、一旦貼付された後に剥がされる際に、より一層原型を失い易い。
【００３８】
あるいは、前記第１直線斜め切込みは、各第１直線縦切込みの内方側端部の近傍から、当該第１直線縦切込みが形成する縦列の一側に隣接する縦列に属する第２直線縦切込みの内方側端部の近傍まで、前記長手方向に対して鋭角をなす方向に延びており、
各第１直線縦切込みの内方側端部の近傍から当該第１直線縦切込みが形成する縦列の他側に隣接する縦列に属する第２直線縦切込みの内方側端部の近傍に向かう方向において、各第１直線縦切込みの内方側端部の近傍から、前記第１直線斜め切込みと交差する直前の位置まで、前記長手方向に対して鋭角をなす方向に延びる第２直線斜め切込みと、
各第１直線縦切込みの内方側端部の近傍から当該第１直線縦切込みが形成する縦列の他側に隣接する縦列に属する第２直線縦切込みの内方側端部の近傍に向かう方向において、前記第１直線斜め切込みと交差する直後の位置から、当該第１直線縦切込みが形成する縦列の他側に隣接する縦列に属する第２直線縦切込みの内方側端部の近傍まで、前記長手方向に対して鋭角をなす方向に延びる第３直線斜め切込みと、
を更に備えている。
【００３９】
この場合も、一旦貼付された後に剥がされる際に、より一層原型を失い易い。
【００４０】
更に好ましくは、各第１直線縦切込みの内方側端部の近傍から、当該第１直線縦切込みが形成する縦列に属する第２直線縦切込みの内方側端部の近傍まで、前記長手方向に対して略垂直な方向に延びる第３直線縦切込みを更に備えている。
【００４１】
また、本発明において好適な共通発行装置は、複数の共通シール券と当該複数の共通シール券の全ての裏面に共通にあてがわれた剥離紙とを有する共通シール券シートが収納される収納部と、前記収納部に収納された共通シール券シートの剥離紙から共通シール券を１枚ずつ当該共通シール券の原型を失わないように剥がしつつ送り出す送り出し機構と、を有している。
【００４２】
これにより、共通シール券を１枚ずつ当該共通シール券のシール本体部の原型を失わないように剥離紙から剥がしつつ送り出す作業が、自動的に達成され得る。
【００４３】
更に、本発明の重量測定装置は、同一の荷物の重量計測を所定のサンプリング間隔で実施して複数の測定データを取得するデータ取得部と、データ取得部によって得られた複数の測定データに基づいて測定データが安定に収束しているか否かを判定する収束判定部と、収束判定部によって安定に収束していると判定された場合に最終的な重量情報を出力する重量情報出力部と、を有していることが好ましい。
【００４４】
この場合、各荷物の重量測定の終了が自動的に判別されることとなり、各荷物の重力測定を迅速に実施することができる。
【００４５】
例えば、収束判定部は、複数の測定データの所定の設定時間内のばらつきが所定の設定範囲以内である場合に、安定に収束していると判定するようになっている。
【００４６】
これにより、各荷物の重量情報を、より正確かつより迅速に取得することができる。
【００４７】
好ましくは、前記所定の設定時間及び／または前記の所定の設定範囲は、可変である。
【００４８】
これにより、重量測定システムの設置環境等に合わせて、より好適な収束判定条件を設定することができる。
【００４９】
あるいは、本発明の重量測定装置は、重量測定の終了の判別信号を手動で入力する終了入力部と、終了入力部によって重量測定の終了の判別信号が入力された場合に最終的な重量情報を出力する重量情報出力部と、を有していることが好ましい。
【００５０】
この場合、各荷物の重量測定の終了をオペレータが判別する。
【００５１】
終了入力部は、例えば、押しボタンまたはフットスイッチである。フットスイッチの場合、オペレータの両手がフリーになるので、特に好ましい。
【００５２】
あるいは、本発明の重量測定装置は、荷物の重量測定の終了を自動的に判別する自動モードと、荷物の重量測定の終了をオペレータが判別する手動モードと、のいずれかを設定する設定部を有していることが好ましい。
【００５３】
この場合の重量測定装置は、自動モードが設定される場合のために、同一の荷物の重量計測を所定のサンプリング間隔で実施して複数の測定データを取得するデータ取得部と、データ取得部によって得られた複数の測定データに基づいて測定データが安定に収束しているか否かを判定する収束判定部と、収束判定部によって安定に収束していると判定された場合に最終的な重量情報を出力する重量情報出力部と、を有し、手動モードが設定される場合のために、重量測定の終了の判別信号を手動で入力する終了入力部と、終了入力部によって重量測定の終了の判別信号が入力された場合に最終的な重量情報を出力する重量情報出力部と、を有し得る。
【００５４】
更に、本発明において好適な重量測定装置は、荷物の重量測定の終了後に再び重量計測を所定のサンプリング間隔で実施して、測定データが所定のリセット値を下回った場合に、荷物の排除が終了したことを判別する荷物リセット部を有している。
【００５５】
これにより、測定データの取得及び管理が、各荷物毎に正確に実施できる。
【００５６】
好ましくは、前記リセット値は、可変である。
【００５７】
【発明の実施の形態】
以下、本発明の実施の形態を、図面を参照して説明する。
【００５８】
図１は、本発明の第１の実施の形態の預かり荷物の重量測定システムを示す概略ブロック図である。図１に示すように、本実施の形態の重量測定システム１０は、投入される荷物１に対して透過放射線、例えばＸ線、を照射して、当該荷物１の内部の画像を得る内部チェック装置１１を備えている。
【００５９】
図２（ａ）は、内部チェック装置１１近傍の平面図であり、図２（ｂ）は、内部チェック装置１１近傍の側面図である。図１乃至図２（ｂ）に示すように、内部チェック装置１１は、荷物の投入及び排出のための搬送ベルト台１１ａと、透過放射線を放射するための放射線箱１１ｂと、画像を得るためのカメラ（図示せず）と、得られた画像を表示するための画面１１ｃと、を有している。
【００６０】
内部チェック装置１１の近傍には、荷物１が内部チェック装置１１によってチェックされたことを示すセキュリティシールを発行するセキュリティシール発行装置が、共通発行装置１４として設置されている。当該共通発行装置１４は、後述するように、セキュリティシールとして機能すると共に重量券としても機能する共通シール券４を発行するようになっている。
【００６１】
本実施の形態での共通シール券４を、図３に示す。図３に示すように、共通シール券４は、セキュリティシールとして機能するために所定の切込みＣが設けられたシール本体部４ａと、重量券として機能するために重量情報が印刷される重量券部４ｂと、から成っている。シール本体部４ａと重量券部４ｂとの間には、切込みパターン４ｃが設けられている。このため、重量券部４ｂは、重量入力作業の終了後の任意の時に、切込みパターン４ｃを切断することによって、容易にシール本体部４ａから切離され得る。
【００６２】
この場合、重量券部４ｂの添付の確実性と排除の容易性との両方を担保するために、重量券部４ｂの裏面もシールとして構成される一方、その貼着力がシール本体部４ａの裏面の貼着力よりも弱く構成されていることが好ましい。これにより、重量券部４ｂを確実に荷物１に添付できる一方で、これを容易に排除することが可能である。
【００６３】
一方、内部チェック装置１１の近傍には、荷物１の重量を測定する重量測定装置１３が設けられている。重量測定装置１３は、その上に荷物１が載置される載置台１３ａと、載置台１３ａ上に載置された荷物１の重量を所定のサンプリング間隔で測定する重量測定部１３ｂ（データ取得部）と、測定データが安定に収束しているか否かを判定する収束判定部１３ｃと、最終的な重量情報を出力する重量情報出力部１３ｄと、を有している。
【００６４】
収束判定部１３ｃは、複数の測定データの所定の設定時間内のばらつきが所定の設定範囲以内である場合に、安定に収束していると判定するようになっている。ここで、前記所定の設定時間及び／または前記の所定の設定範囲は、適宜の入力手段等を介して可変である。例えば、前記所定の設定時間及び／または前記の所定の設定範囲を段階的に規定して、安定判別の速度（精度と相反する関係にある）を９段階とすることができる。
【００６５】
更に重量測定装置１３は、測定データが所定のリセット値を下回った場合に、各荷物の排除が終了したことを判別する荷物リセット部１３ｅを有している。ここで、前記リセット値は、適宜の入力手段等を介して可変である。例えば、リセット値は、０ｋｇまたは２ｋｇに設定され得る。
【００６６】
載置台１３ａは、内部チェック装置１１における荷物１の投入側に隣接して配置されている。すなわち、内部チェック装置１１への荷物１の投入の直前に、荷物１の重量が測定されるようになっている。
【００６７】
本実施の形態の重量測定装置１３は、更に、荷物の重量測定の終了を自動的に判別する自動モードと、荷物の重量測定の終了をオペレータが判別する手動モードと、のいずれかを設定可能な設定部１３ｆを有している。
【００６８】
そして、重量測定装置１３は、重量測定の終了の判別信号を手動で入力する終了入力部１３ｇが設けられ、重量情報出力部１３ｄは、終了入力部１３ｇによって重量測定の終了の判別信号が入力された場合にも、最終的な重量情報を出力するようになっている。
【００６９】
本実施の形態では、オペレータによる重量測定の終了の判別を支援するため、重量測定部１３ｂの測定データを表示する表示部１３ｈが設けられている。
【００７０】
終了入力部１３ｇは、この場合フットスイッチであるが、押しボタンなど、公知の種々の入力装置に置換され得る。
【００７１】
更に、重量測定装置１３には、重量情報出力部１３ｄによる最終的な重量情報の出力時（重量情報の印刷開始時に対応）に点灯する終了表示ランプ１３ｉが設けられている。
【００７２】
重量測定装置１３の重量情報出力部１３ｄには、共通発行装置１４が接続されている。
【００７３】
共通発行装置１４は、重量測定装置１３の重量情報出力部１３ｄから出力される重量に関する情報（重量情報）を受領するデータ入力部１４ａと、共通シール券４の重量券部４ｂに重量情報を印刷する印刷部１４ｂと、重量券部４ｂに重量情報が印刷された共通シール券４を発行する発行部１４ｃと、を備えている。
【００７４】
本実施の形態の共通発行装置１４は、複数の共通シール券４と当該複数の共通シール券４の全ての裏面に共通にあてがわれた剥離紙とを有する共通シール券シートが収納される収納部１４ｄを有している。
【００７５】
そして、発行部１４ｃは、収納部１４ｄに収納された共通シール券シートの剥離紙から共通シール券４を１枚ずつ当該共通シール券４の原型を失わないように剥がしつつ送り出す送り出し機構として構成され、印刷部１４ｂは、収納部１４ｄと発行部１４ｃとの間に設けられている。
【００７６】
重量券部４ｂには、例えば、測定された荷物の重量が１００ｇ単位の数字で印刷される。
【００７７】
一方、内部チェック装置１１から離れた箇所に、共通シール券４が貼られた荷物１を受け取って預かるカウンタ１５が設置されている。
【００７８】
カウンタ１５には、重量券部４ｂに記載された重量に関する情報を入力する重量入力端末１６が設けられている。この場合、重量入力端末機１６は、チェックイン手続等のための総合端末機として構成されている。また、カウンタ１５には、荷物の受け渡しを容易にするための低台座部１５ａが設けられている。重量入力端末１６は、種々の重量管理処理を実施するホストコンピュータ１７に接続されている。
【００７９】
次に、本実施の形態の作用について説明する。
【００８０】
例えば航空便利用者は、預ける荷物の各々について内部セキュリティチェックを受けるべく、内部チェック装置１１の設置された場所に荷物１を持参する。
【００８１】
第１オペレータが、航空便利用者から荷物１を受け取って、内部チェック装置１１の荷物投入側の直前に設置された重量計測装置１３の載置台１３ａ上に、当該荷物１を載置する。
【００８２】
ここで、重量計測装置１３が、その設定部１３ｆによって自動モードに設定されている場合について、最初に説明する。
【００８３】
荷物１が載置台１３ａ上に載置される直前においては、重量測定部１３ｂによる測定データがリセット値を下回っている。この時、荷物リセット部１３ｅにより、荷物が排除された状態が認識される。
【００８４】
そのようなリセット状態において荷物１が載置台１３ａ上に載置されると、重量測定部１３ｂは、同一の荷物１の重量計測を所定のサンプリング間隔で実施して複数の測定データを取得する。
【００８５】
続いて、収束判定部１３ｃが、重量測定部１３ｂによって得られた複数の測定データに基づいて、それらの測定データが安定に収束しているか否かを判定する。具体的には、複数の測定データの所定の設定時間内のばらつきが所定の設定範囲以内である場合に、安定に収束していると判定する。
【００８６】
収束判定部１３ｃによって安定な収束が判定されると、重量情報出力部１３ｄが、共通発行装置１４に最終的な重量情報を出力する。
【００８７】
次に、重量計測装置１３が、その設定部１３ｆによって手動モードに設定されている場合について説明する。
【００８８】
この場合も、荷物１が載置台１３ａ上に載置される直前においては、重量測定部１３ｂによる測定データがリセット値を下回っている。この時、荷物リセット部１３ｅにより、荷物が排除された状態が認識される。
【００８９】
そのようなリセット状態において荷物１が載置台１３ａ上に載置されると、重量測定部１３ｂは、同一の荷物１の重量計測を所定のサンプリング間隔で実施して複数の測定データを取得する。
【００９０】
手動モードの場合、表示部１３ｈに表示された複数の測定データをオペレータが目視で追いながら、それらの測定データが安定に収束しているか否かをオペレータ自身が判定する。
【００９１】
そして、オペレータが、重量測定の終了の判別信号を終了入力部１３ｇから入力する。当該入力を受けて、重量情報出力部１３ｄが、共通発行装置１４に最終的な重量情報を出力する。
【００９２】
共通発行装置１４は、重量計測装置１３から受容した重量情報に基づいて、重量券部４ｂへの印刷を開始する。この時、終了表示ランプ１３ｉが点灯する。
【００９３】
第１オペレータが、終了表示ランプ１３ｉの点灯を確認すると、共通発行装置１４による重量情報の印刷と平行するように、重量測定を終えた荷物１を内部チェック装置１１に投入する。内部チェック装置１１は、投入される荷物に対してＸ線を放射し、荷物１の内部の画像を画面１１ｃ上に表示する。
【００９４】
内部チェック担当の第２オペレータが、画面１１ｃを目視で検査して、荷物１に危険性があるか否かを判別する。「危険性無し」と判別した場合には、共通シール発行装置１４の近傍に配置された第３オペレータに、その旨を伝達する。通常は、第２オペレータは「危険性有り」の場合にのみ特別な所作を行うこととし、「危険性無し」の場合には何らアクションをとらない。
【００９５】
第３オペレータは、「危険性無し」との判別結果に基づいて、内部チェック装置１１から排出される荷物１の開閉部分に対して、共通シール発行装置１４から発行された共通シール券４（重量情報が印刷された重量券部４ｂを有する）を貼付する。そして、第３オペレータは、共通シール券４が貼付された状態の預かり荷物１を航空便利用者に返却する。
【００９６】
以上のフローについて、図４にフローチャートを示す。
【００９７】
航空便利用者は、共通シール券４を貼付された荷物１を、チェックインカウンタ１５に持参する。航空便利用者は、低台座部１５ａに荷物１を載置すると共に、チェックインカウンタ１５に配置された第４オペレータに対して、航空券を手渡す。
【００９８】
第４オペレータは、航空便利用者から受け取った航空券に基づいて、端末機１６に対してチェックイン処理を行う。同時に、低台座部１５ａ上に載置された荷物１に貼付された共通シール券４の重量券部４ｂに記載された重量情報に基づいて、端末機１６に対して重量入力処理を行う。
【００９９】
荷物には荷物番号が与えられ、当該荷物に添付または貼付される荷物番号ラベルが端末機１６から発行される。
【０１００】
また、端末機１６に対する第４オペレータの入力処理により、荷物の預け人と荷物番号と荷物重量とが対応付けられ、当該情報がホストコンピュータ１７に送信される。
【０１０１】
第４オペレータは、端末機１６に対する入力処理と平行して、発行された荷物番号ラベルを荷物に添付または貼付する。
【０１０２】
荷物番号ラベルを添付または貼付された荷物は、低台座部１５ａに隣接して設置された搬送ベルト１５ｂ上に移動され、当該搬送ベルト１５ｂによって搬送されていく。
【０１０３】
ホストコンピュータ１７は、端末機１６から入力された各荷物の重量に基づいて種々の重量管理処理を実施する。
【０１０４】
なお、荷物１の重量が所定値を超えている場合には、追加料金の請求手続き及び支払い手続きが、別途行われる。
【０１０５】
以上のように、本実施の形態によれば、荷物１の重量測定作業とカウンタ１５における重量入力作業とが完全に分離される。このため、カウンタ１５では、第４オペレータが共通シール４に記載された重量に関する情報を重量入力端末１６に入力することによって、重量入力を容易かつ迅速に実施することができる。これにより、預かり荷物１の重量を各航空便利用者単位、更には、各荷物単位で管理する場合であっても、カウンタ１５に航空便利用者の行列ができてしまうことが回避される。
【０１０６】
また、本実施の形態によれば、セキュリティシール（共通シール券）と別途に重量券を作成する必要が無いため、各種コストを従前のシステムと同様のレベルに留めることができる。
【０１０７】
また、本実施の形態によれば、荷物１の内部チェック時間を重量券部４ｂへの重量情報の印刷時間に対応させているので、荷物１の重量計測処理から内部チェック処理を経て共通シール券４を貼付する処理に至るまでの一連の処理を、極めて迅速に実施することが可能である。
【０１０８】
また、本実施の形態では、重量券部４ｂも重量シールとして構成されているため、荷物１と重量券との対応が、より確実に維持され得る。一方、重量券部４ｂの貼着力が弱く構成されているため、重量券部４ｂのみを容易に排除することが可能である。
【０１０９】
なお、重量券部４ｂにおける重量情報担持の態様は、数字による記載（印刷）に限定されない。数字による重量の記載では、重量情報を書き換える等して追加料金の支払いを逃れようとする不正が発生し得る。
【０１１０】
従って、重量情報は、重量券部４ｂに暗号情報によっても記載（印刷）されることが好ましい。暗号情報は、例えば、バーコード情報である。
【０１１１】
なお、以上の各実施の形態は、航空便利用者の預かり荷物について説明されたが、本発明は、航空機以外の種々の施設における預かり荷物の管理に応用可能である。
【０１１２】
なお、ここで、シール本体部に設けられ得る切込みのパターンの好適な例について、図５を用いてより詳細に説明する。
【０１１３】
図５に示すように、本実施の形態の共通シール券１３１は、一方の側方端縁１１１から切込まれ、前記長手方向に略垂直な方向に延びる複数の第１直線縦切込み１２１と、他方の側方端縁１１２から切込まれ、前記長手方向に略垂直な方向に延びる複数の第２直線縦切込み１２２と、を備えている。
【０１１４】
各第１直線縦切込み１２１及び各第２直線縦切込み１２２は、全て同じ長さを有している。当該長さは、この場合、シール本体部１３１の短手方向長さの４分の１以下である。
【０１１５】
また、第１直線縦切込み１２１の各々と第２直線縦切込み１２２の各々とは、一直線上に整列するように配置されて、この場合４つの縦列Ｖ１〜Ｖ４を形成するように配置されている。縦列Ｖ１〜Ｖ４は、略等間隔に形成されている。
【０１１６】
最右端の縦列Ｖ４と共通シール券１３１の右端縁との間の間隔も、各縦列Ｖ１〜Ｖ４間の間隔と等しくなっている。更に、後に詳述する分離用切込みパターン１４０と最左端の縦列Ｖ１との間の間隔も、各縦列Ｖ１〜Ｖ４間の間隔と等しくなっている。
【０１１７】
また、第１直線縦切込み１２１の内方側端部１２１ａの近傍から第２直線縦切込み１２２の内方側端部１２２ａの近傍まで、前記長手方向に対して鋭角をなす方向に延びる第１直線斜め切込み１２３が設けられている。
【０１１８】
本実施の形態の第１直線斜め切込み１２３は、各第１直線縦切込み１２１の内方側端部１２１ａの近傍から、当該第１直線縦切込み１２１が形成する縦列の一側、図１では右側、に隣接する縦列に属する第２直線縦切込み１２２の内方側端部１２２ａの近傍まで、前記長手方向に対して鋭角をなす方向に延びている。
【０１１９】
すなわち、３本の第１直線斜め切込み１２３が、それぞれ各縦列Ｖ１〜Ｖ４の間に形成されている。各直線切込みが前記長手方向に対してなす角度αは、好適には２５度以上、この場合約３５度となっている。
【０１２０】
一方、各第１直線縦切込み１２１の内方側端部１２１ａの近傍から当該第１直線縦切込み１２１が形成する縦列の他側、図１では左側、に隣接する縦列に属する第２直線縦切込み１２２の内方側端部１２２ａの近傍に向かう方向において、各第１直線縦切込み１２１の内方側端部１２１ａの近傍から、前記第１直線斜め切込み１２３と交差する直前の位置まで、前記長手方向に対して鋭角をなす方向に延びる第２直線斜め切込み１２４が設けられている。
【０１２１】
第２直線斜め切込み１２４も、それぞれ各縦列Ｖ１〜Ｖ４の間に形成されている。各第２直線切込みが前記長手方向に対してなす角度βも、好適には２５度以上、この場合約３５度となっている。
【０１２２】
更に、各第１直線縦切込み１２１の内方側端部１２１ａの近傍から当該第１直線縦切込み１２１が形成する縦列の他側、図１では左側、に隣接する縦列に属する第２直線縦切込み１２２の内方側端部１２２ａの近傍に向かう方向において、前記第１直線斜め切込み１２３と交差する直後の位置から、当該第１直線縦切込み１２１が形成する縦列の他側に隣接する縦列に属する第２直線縦切込み１２２の内方側端部１２２ａの近傍まで、前記長手方向に対して鋭角をなす方向に延びる第３直線斜め切込み１２５が設けられている。
【０１２３】
第３直線斜め切込み１２５も、それぞれ各縦列Ｖ１〜Ｖ４の間に形成されている。各第３直線切込みが前記長手方向に対してなす角度γも、好適には２５度以上、この場合約３５度となっている。
【０１２４】
本実施の形態では、各縦列間の切り込みパターンと同様のパターンが、最右端の縦列Ｖ４と共通シール券１３１の右端縁との間にも形成されている。
【０１２５】
また、分離用切込みパターン１４０と最左端の縦列Ｖ１との間には、各縦列間の切り込みパターンの右側半分のみに対応するパターン、すなわち、第１直線斜め切込み１２３の右側半分と第２直線斜め切込み１２４とに対応するパターン、が形成されている。
【０１２６】
また、各第１直線縦切込み１２１の内方側端部１２１ａの近傍から、当該第１直線縦切込み１２１が形成する縦列に属する第２直線縦切込み１２２の内方側端部１２２ａの近傍まで、前記長手方向に対して略垂直な方向に延びる第３直線縦切込み１２７が更に設けられている。
【０１２７】
図４に示す共通シール券１３１において、分離用切込みパターン１４０から右側の各種直線切込みが設けられた部分が、シール本体部１３１ａである。このようなシール本体部１３１ａは、前記のように、当該共通シール券１３１を剥離紙から剥がす作業を容易ならしめる一方で、一旦貼付された後に剥がされる際に原型を失い易いという性質に優れる。一旦貼付された後に剥がされる際には、各種直線切込みが繋がって、いわゆる「ビリビリ」と破れる。
【０１２８】
一方、分離用切込みパターン１４０から左側の部分が、重量情報を印刷するための重量券部共通シール券ｂとなっている。
【０１２９】
ここで、本実施の形態の分離用切込みパターン１４０は、一方の側方端縁１１１から切込まれ、前記長手方向に略垂直な方向に延びる分離用第１直線縦切込み１４１と、他方の側方端縁１１２から切込まれ、前記長手方向に略垂直な方向に延びる分離用第２直線縦切込み１４２と、第１直線縦切込み１４１の内方側端部１４１ａの近傍から第２直線縦切込み１４２の内方側端部１４２ａの近傍まで、前記長手方向に対して略垂直な方向に延びる分離用第３直線縦切込み１４３と、から構成されている。
【０１３０】
この場合、分離第１直線縦切込み１４１は、分離用第３直線縦切込み１４３に対して極めて短く形成されており、分離用第２直線縦切込み１４２も、分離用第３直線縦切込み１４３に対して極めて短く形成されている。これにより、重量券部１３１ｂは、切り離しが求められる時まで、より安定にシール本体部１３１ａとの一体を維持することができる。
【０１３１】
また、分離用切込みパターン１４０と最左端の縦列Ｖ１との間には、各縦列間の切り込みパターンの右側半分に対応するパターンのみしか設けられていないため、分離用切込みパターン１４０を切断して重量券部１３１ｂを切り離す際に、シール本体部１３１ａが破れることが無い。
【０１３２】
更に、重量券部１３１ｂの裏面は、その貼着力がシール本体部１３１ａの裏面の貼着力よりも弱く構成されている。これにより、重量券部１３１ｂは、シール本体部１３１ａから適時により容易に切り離され得る。
【０１３３】
次に、図６を用いて、共通シール券シートの一実施の形態を説明する。図６は、共通シール券シートの一実施の形態を示す平面図である。
【０１３４】
図６に示す共通シール券シート１５０は、複数の図５に示す共通シール券１３１と、複数の共通シール券１３１の全ての裏面に共通にあてがわれた剥離紙１５２と、を備えている。複数の共通シール券１３１は、前記長手方向に略垂直な直線方向に、連続的に配置されている。
【０１３５】
このような共通シール券シート１５０は、剥離紙１５２から共通シール券１３１を剥がす際に、各共通シール券１３１の側方端縁１１１（または１１２）側から共通シール券１３１を剥がすことによって、共通シール券１３１の原型を失わせてしまう（破れてしまう）可能性を顕著に低減することができ、共通シール券１３１を剥がす作業を極めて容易にすることができる。
【０１３６】
また、このような共通シール券シート１５０がセットされ、剥離紙１５２から共通シール券１３１を１枚ずつ当該共通シール券１３１の原型を失わないように剥がしつつ送り出すことができる送り出し機構１６０が構築された。このような送り出し機構１６０の概略を図７に示す。
【０１３７】
図７に示す送り出し機構１６０は、共通シール券１３１を前記長手方向に略垂直な直線方向に送り出すようになっている。これにより、共通シール券１３１を１枚ずつ当該共通シール券１３１の原型を失わないように剥離紙１５２から剥がしつつ送り出す作業が、より確実となる。
【０１３８】
なお、共通シール券送り出し機構１６０によるシール剥離送出機能の機械的な条件から、共通シール券１３１の短手方向の長さは、２５ｍｍ程度以上であることが好ましい。
【０１３９】
【発明の効果】
以上説明したように、本発明によれば、荷物の重量測定作業とカウンタにおける重量入力作業とを完全に分離することができるため、預かり荷物の重量を各利用者単位、更には、各荷物単位で測定することにしても、カウンタに長い待ち行列が形成されることが回避される。
【図面の簡単な説明】
【図１】本発明の一実施の形態による預かり荷物の重量測定システムの概略ブロック図である。
【図２】本発明の一実施の形態による預かり荷物の重量測定システムの内部チェック装置近傍の構成概略図である。
【図３】共通シール券の一例を示す平面図である。
【図４】本発明の一実施の形態による預かり荷物の重量測定システムの主要なフローを示すフローチャートである。
【図５】共通シール券の一例の詳細を説明するための平面図である。
【図６】本発明の一実施の形態による共通シール券シートを示す平面図である。
【図７】本発明の一実施の形態による共通シール券送り出し機構を示す概略断面図である。
【図８】従来の預かり荷物の重量測定システムの概略図である。
【符号の説明】
１  荷物
２  セキュリティシール
３  重量券
４  共通シール券
４ａ  シール本体部
４ｂ  重量券部
４ｃ  切込みパターン
１０  預かり荷物の重量管理システム
１１  内部チェック装置
１１ａ  搬送ベルト台
１１ｂ  放射線箱
１１ｃ  画面
１２  セキュリティシール発行装置
１３  重量計測装置
１３ａ  載置台
１３ｂ  重量測定部
１３ｃ  収束判定部
１３ｄ  重量情報出力部
１３ｅ  荷物リセット部
１３ｆ  設定部
１３ｇ  終了入力部
１３ｈ  表示部
１３ｉ  終了表示ランプ
１４  共通発行装置
１４ａ  データ入力部
１４ｂ  印刷部
１４ｃ  発行部
１４ｄ  収納部
１５  チェックインカウンタ
１５ａ  低台座部
１５ｂ  搬送ベルト
１６  総合端末機（重量入力端末）
１７  ホストコンピュータ
２０  預かり荷物の重量管理システム
１１１  一方の側方端縁
１１２  他方の側方端縁
１２１  第１直線切込み
１２１ａ  内方側端部
１２２  第２直線切込み
１２２ａ  内方側端部
１２３  第１直線斜め切込み
１２４  第２直線斜め切込み
１２５  第３直線斜め切込み
１２７  第３直線切込み
１３１  共通シール券
１３１ａ  シール本体部
１３１ｂ  重量券部
１４０  分離用切込みパターン
１４１  分離用第１直線切込み
１４２  分離用第２直線切込み
１４３  分離用第３直線切込み
１５０  共通シール券シート
１５２  剥離紙
１６０  共通シール券送り出し機構
【図１】
0003955480.tif 000002
【図２】
0003955480.tif 000003
【図３】
0003955480.tif 000004
【図４】
0003955480.tif 000005
【図５】
0003955480.tif 000006
【図６】
0003955480.tif 000007
【図７】
0003955480.tif 000008
【図８】
0003955480.tif 000009